(57)【要約】      （修正有）【課題】収納かごをテーパー状とする場合に、上部の外サイドフレームに変形又は破断が生じることを防止する収納かごを提供する。【解決手段】サイドフレーム１と、サイドフレームの底部に設けられるボトムプレート２を含む収納かごであって、サイドフレームとボトムプレートは一体式の構造又は分離式の構造となっている。サイドフレームの上部の外縁には外サイドフレーム１１１が設けられている。外サイドフレームの各屈曲箇所にはいずれも切り欠きが開設され、また、サイドフレームの各屈曲箇所がエッジガード３により覆われている。エッジガードの上部には、サイドフレームの内側又はサイドフレームの外側に向かって屈曲し、切り欠きを覆う屈曲部が備わっている。【選択図】図２
0003232841.tif 000002
【実用新案登録請求の範囲】
【請求項１】
サイドフレーム（１）と、前記サイドフレーム（１）の底部に設けられるボトムプレート（２）を含み、前記サイドフレーム（１）と前記ボトムプレート（２）は一体式の構造又は分離式の構造であり、前記サイドフレーム（１）の上部の外縁に外サイドフレーム（１１１）が設けられている収納かごであって、
前記外サイドフレーム（１１１）の各屈曲箇所にはいずれも切り欠き（１１１１）が開設されており、前記サイドフレーム（１）の少なくとも１つの屈曲箇所がエッジガード（３）により覆われており、前記エッジガード（３）の上部には、前記サイドフレーム（１）の内側又はサイドフレーム（１）の外側に向かって屈曲し、前記切り欠き（１１１１）を覆う屈曲部（３１）が備わっていることを特徴とする収納かご。
【請求項２】
前記サイドフレーム（１）は、前記エッジガード（３）により前後が順に連結されるいくつかのサイドプレート（１１）を含み、
前記サイドプレート（１１）と前記ボトムプレート（２）は一体式の構造又は分離式の構造であり、前記外サイドフレーム（１１１）はいくつかの前記サイドプレート（１１）の上部に設けられ、前記サイドプレート（１１）と前記エッジガード（３）は、溶接、フック式構造又は挿接式構造によって接続されることを特徴とする、請求項１に記載の収納かご。
【請求項３】
前記サイドフレーム（１）は、少なくとも１つのサイドプレート（１１）を屈曲及び連結することでなり、前記サイドプレート（１１）には少なくとも１つの連結開口（１１２）が設けられており、前記サイドプレート（１１）の底部には内フランジ（１１３）が設けられており、
前記サイドプレート（１１）と前記ボトムプレート（２）は分離式の構造となっており、前記ボトムプレート（２）は内フランジ（１１３）上に載置され、前記外サイドフレーム（１１１）は前記サイドプレート（１１）の上部の外縁に設けられ、前記内フランジ（１１３）には少なくとも１つの切口（１１３１）が設けられていることを特徴とする、請求項１に記載の収納かご。
【請求項４】
金属接続部材（４）を更に含み、前記金属接続部材（４）は、前記連結開口（１１２）部分の内壁及び外壁に貼り付けられることを特徴とする、請求項３に記載の収納かご。
【請求項５】
前記金属接続部材（４）は、前記連結開口（１１２）の内壁に貼り付けられる第１金属シート（４１）と、前記連結開口（１１２）の外壁に貼り付けられる第２金属シート（４２）を含むことを特徴とする、請求項４に記載の収納かご。
【請求項６】
前記金属接続部材（４）は、横断面が「Ｚ」字状をなす第３金属シート（４３）であり、前記第３金属シート（４３）は第１スロット（４３１）と第２スロット（４３２）を含み、前記連結開口（１１２）の一端の前記サイドプレート（１１）は前記第１スロット（４３１）に挿入され、前記連結開口（１１２）の他端の前記サイドプレート（１１）は前記第２スロット（４３２）に挿入されることを特徴とする、請求項４に記載の収納かご。
【請求項７】
縦方向断面が「Ｚ」字状をなす第４金属シート（５）を更に含み、前記サイドプレート（１１）の底部には内フランジ（１１３）が設けられており、前記第４金属シート（５）は、独立した成形部材であるか、前記内フランジ（１１３）と一体的に成形され、前記第４金属シート（５）は第３スロット（５１）と第４スロット（５２）を含み、前記第４金属シート（５）が独立した成形部材である場合、前記内フランジ（１１３）は前記第３スロット（５１）に挿入され、これに応じて、前記ボトムプレート（２）は前記第４スロット（５２）に挿入され、或いは、前記内フランジ（１１３）は前記第４スロット（５２）に挿入され、これに応じて、前記ボトムプレート（２）は前記第３スロット（５１）に挿入され、
前記第４金属シート（５）が前記内フランジ（１１３）と一体的に成形される場合には、前記ボトムプレート（２）は前記第４スロット（５２）に挿入されることを特徴とする、請求項２又は３に記載の収納かご。
【請求項８】
前記サイドフレーム（１）、前記ボトムプレート（２）又は前記エッジガード（３）は、中実の板金部材構造、又は任意の網目を持つエキスパンド構造のメッシュプレート、網状構造、又は中央部に任意の網目が開設されたエキスパンドメタル構造であり、前記エッジガード（３）の外壁にはパターンをプレス可能であることを特徴とする、請求項１に記載の収納かご。
【請求項９】
前記サイドプレート（１１）の両端には第１フック（１１４）が設けられ、前記エッジガード（３）の両端には第２フック（３４）が設けられ、前記第１フック（１１４）と前記第２フック（３４）が係接されることを特徴とする、請求項２に記載の収納かご。
【請求項１０】
前記屈曲部（３１）の両端には挿接孔（１１１２）が設けられており、これに応じて、前記外サイドフレーム（１１１）の両端には前記挿接孔（１１１２）に適応する挿接部（３１１）が設けられており、
或いは、前記外サイドフレーム（１１１）の両端には挿接孔（１１１２）が設けられており、これに応じて、前記屈曲部（３１）には前記挿接孔（１１１２）に適応する挿接部（３１１）が設けられており、前記サイドプレート（１１）の底部の両端又は前記エッジガード（３）の底部の両端には退避用切り欠き（３３１）が設けられていることを特徴とする、請求項２に記載の収納かご。
【考案の詳細な説明】
【技術分野】
【０００１】
本考案は、収納かごの分野に関する。
【背景技術】
【０００２】
収納かごは物を保存するのに便利ではあるが、室内の収納かごがあまりにも多くなると、複数の収納かごを積み重ねて置きたいとのニーズが発生する。図１に示すように、複数の収納かごを積み重ねて置く機能を実現するためには、収納かご０１を上部の外サイドフレーム１１１が底部よりも大きなテーパー状構造とするのが一般的である。また、言うまでもなく、複数の収納かご０１を上から下に向かうほど外形サイズが順に大きくなる積層構造としてもよい。上記の突出状の外サイドフレーム１１１は、支持及び補強作用を奏するほか、複数の収納かごを積み重ねて置く場合には、突出状の外サイドフレーム１１１が各収納かごを位置規制する作用も奏する。しかし、収納かごをテーパー状にすると、外サイドフレーム１１１の屈曲箇所と屈曲していない箇所とで力のかかり方にムラができるため、外サイドフレーム１１１に変形や破断といった現象が生じやすい。特に、高さのある収納かごをテーパー状にすると、ほとんどの場合に外サイドフレーム１１１に破断が生じる。よって、収納かごの構造は改良が必要である。
【考案の概要】
【考案が解決しようとする課題】
【０００３】
本考案の目的は、従来技術における上記の欠点を解消するために、テーパー状とした場合に上部の外サイドフレームに変形又は破断が生じるとの技術的課題を解決する収納かごを提供することである。
【課題を解決するための手段】
【０００４】
上記の目的を実現するために、本考案は、サイドフレームと、サイドフレームの底部に設けられるボトムプレートを含む収納かごを提供する。前記サイドフレームとボトムプレートは一体式の構造又は分離式の構造となっている。前記サイドフレームの上部の外縁には外サイドフレームが設けられている。前記外サイドフレームの各屈曲箇所にはいずれも切り欠きが開設されている。また、前記サイドフレームの少なくとも１つの屈曲箇所がエッジガードにより覆われている。前記エッジガードの上部には、サイドフレームの内側又はサイドフレームの外側に向かって屈曲し、前記切り欠きを覆う屈曲部が備わっている。
【０００５】
好ましくは、前記サイドフレームは、エッジガードにより前後が順に連結されるいくつかのサイドプレートを含む。前記サイドプレートとボトムプレートは一体式の構造又は分離式の構造となっている。前記外サイドフレームはいくつかの前記サイドプレートの上部の外縁に設けられている。前記サイドプレートとエッジガードは、溶接、フック式構造又は挿接式構造によって接続される。
【０００６】
好ましくは、前記サイドフレームは、少なくとも１つのサイドプレートを屈曲及び連結することでなる。前記サイドプレートには少なくとも１つの連結開口が設けられている。前記サイドプレートの底部には内フランジが設けられている。前記サイドプレートとボトムプレートは分離式の構造となっており、前記ボトムプレートが内フランジ上に載置される。また、前記外サイドフレームは、サイドプレートの上部の外縁に設けられる。前記内フランジには少なくとも１つの切口が設けられている。
【０００７】
好ましくは、金属接続部材を更に含む。前記金属接続部材は、連結開口部分の内壁及び外壁に貼り付けられる。
【０００８】
好ましくは、前記金属接続部材は、連結開口の内壁に貼り付けられる第１金属シートと、連結開口の外壁に貼り付けられる第２金属シートを含む。
【０００９】
好ましくは、前記金属接続部材は、横断面が「Ｚ」字状をなす第３金属シートである。前記第３金属シートは、第１スロットと第２スロットを含む。前記連結開口の一端のサイドプレートは第１スロットに挿入され、前記連結開口の他端のサイドプレートは第２スロットに挿入される。
【００１０】
好ましくは、縦方向断面が「Ｚ」字状をなす第４金属シートを更に含む。前記サイドプレートの底部には内フランジが設けられている。前記第４金属シートは、独立した成形部材とするか、内フランジと一体的に成形する。前記第４金属シートは第３スロットと第４スロットを含む。前記第４金属シートが独立した成形部材である場合、前記内フランジは第３スロットに挿入され、これに応じて、前記ボトムプレートは第４スロットに挿入される。或いは、前記内フランジは第４スロットに挿入され、これに応じて、前記ボトムプレートは第３スロットに挿入される。また、前記第４金属シートが内フランジと一体的に成形される場合には、前記ボトムプレートが第４スロットに挿入される。
【００１１】
好ましくは、前記サイドフレームは、中実の板金部材構造、又は任意の網目を持つエキスパンド構造のメッシュプレート、網状構造、又は中央部に任意の網目が開設されたエキスパンドメタル構造である。
【００１２】
好ましくは、前記サイドプレートの両端には第１フックが設けられ、前記エッジガードの両端には第２フックが設けられている。前記第１フックと第２フックを係接することで、サイドプレートとエッジガードを接続する。
【００１３】
好ましくは、前記屈曲部の両端には挿接孔が設けられており、これに応じて、前記外サイドフレームの両端には挿接孔に適応する挿接部が設けられている。
【００１４】
或いは、前記外サイドフレームの両端には挿接孔が設けられており、これに応じて、前記屈曲部には挿接孔に適応する挿接部が設けられている。前記サイドプレートの底部の両端又はエッジガードの底部の両端には退避用切り欠きが設けられている。
【考案の効果】
【００１５】
従来技術と比較して、本考案で提供する収納かごの有益な効果は以下の通りである。
【００１６】
当該収納かごは、外サイドフレームに切り欠きが開設されている。そのため、外サイドフレームを拡張し、収納かごを上側が大きく下側が小さいテーパー状とする場合に、収納かごの高さサイズがどの程度であっても、サイドフレームの上部の外縁における外サイドフレームにかかる力が十分均一となり、変形や破断が発生することがない。よって、収納かごの見栄え及び生産品質が確保される。また、収納かごをテーパー状としたあと、エッジガードの上部における屈曲部で外サイドフレームの切り欠きを封止するため、当該技術方案では収納かごの見栄えがいっそう向上する。本技術方案によれば、収納かごの剛性及び強度が向上するだけでなく、テーパー状の収納かごの生産効率を大幅に向上させることも可能である。且つ、エッジガードの外壁に各種装飾パターンをプレスすることで、収納かごの見栄えを更に向上させられる。
【００１７】
本考案の実施例又は従来技術の技術方案について明確に説明するために、以下に、実施例又は従来技術の記載にあたり使用を要する図面について簡単に説明する。なお、言うまでもなく、以下に記載する図面は本考案の実施例の一部にすぎず、当業者であれば、創造的労働を伴うことなくこれらの図面から更にその他の図面を得ることも可能である。
【図面の簡単な説明】
【００１８】
【図１】図１は、従来技術における複数の収納かごを積み重ねて置く場合の構造を示す図である。
【図２】図２は、実施例１の構造を示す図である。
【図３】図３は、実施例１のエッジガードを省略した構造を示す図である。
【図４】図４は、実施例１におけるサイドフレームが複数のサイドプレートを連結してなる構造を示す図である。
【図５】図５は、実施例１の別の構造を示す図である。
【図６】図６は、実施例１の別の構造を示す図である。
【図７】図７は、実施例１におけるエッジガードの第１の縦方向断面を示す図である。
【図８】図８は、実施例１におけるエッジガードの第２の縦方向断面を示す図である。
【図９】図９は、実施例１におけるエッジガードの第３の縦方向断面を示す図である。
【図１０】図１０は、実施例１のサイドフレームにおける複数のサイドプレートを連結する前のサイドプレートとエッジガードの第１の構造の分解図である。
【図１１】図１１は、実施例１におけるエッジガードの第４の縦方向断面を示す図である。
【図１２】図１２は、実施例１におけるエッジガードの第５の縦方向断面を示す図である。
【図１３】図１３は、実施例１のサイドフレームにおける複数のサイドプレートを連結する前のサイドプレートとエッジガードの第２の構造の分解図である。
【図１４】図１４は、実施例２のボトムプレートを省略した構造を示す図である。
【図１５】図１５は、実施例２における金属接続部材を追加した構造を示す図である。
【図１６】図１６は、実施例２における第１のタイプの金属接続部材を追加した構造を示す図である。
【図１７】図１７は、実施例２における第２のタイプの金属接続部材を追加する場合の分解図である。
【図１８】図１８は、実施例３の構造を示す図である。
【図１９】図１９は、実施例３を別の角度から見た構造を示す図である。
【図２０】図２０は、実施例３における第４金属シートの平面図である。
【図２１】図２１は、図２０のＡ−Ａ箇所の断面図である。
【考案を実施するための形態】
【００１９】
本考案の実施例の目的、技術方案及び利点をより明確にすべく、以下では、本考案の実施例における図面を組み合わせて、本考案の実施例における技術方案につき明瞭簡潔に述べる。なお、ここで記載する実施例は本考案の一部の実施例にすぎず、全ての実施例でないことは言うまでもない。本考案の実施例に基づいて、当業者が創造的労働を要することなく取得するその他全ての実施例は、いずれも本考案の保護の範囲に属する。
【実施例１】
【００２０】
図２及び図３に示すように、本実施例は収納かごを提供する。本実施例では、収納かごをテーパー状とする場合に、上部の外サイドフレームに変形又は破断が生じるとの技術的課題を主に解決する。当該収納かごは、サイドフレーム１、ボトムプレート２及びエッジガード３を含む。
【００２１】
サイドフレーム１の上部の外縁には外サイドフレーム１１１が設けられており、当該外サイドフレーム１１１の各屈曲箇所にはいずれも切り欠き１１１１が開設されている。前記外サイドフレーム１１１の各屈曲箇所にはいずれも切り欠き１１１１が開設されている。また、前記サイドフレーム１の少なくとも１つの屈曲箇所がエッジガード３により覆われている。前記エッジガード３の上部には、サイドフレーム１の内側又はサイドフレーム１の外側に向かって屈曲し、前記切り欠き１１１１を覆う屈曲部３１が備わっている。具体的に、屈曲部３１は、外側から内側へ屈曲してサイドフレーム１の上部の外サイドフレーム１１１を覆うことが可能である。なお、屈曲部３１は、サイドフレーム１の外側に屈曲してサイドフレーム１の上部の外サイドフレーム１１１と面一になってもよい。
【００２２】
具体的に、当該収納かごは、外サイドフレーム１１１に切り欠き１１１１が開設されている。そのため、外サイドフレーム１１１を拡張し、収納かごを上側が大きく下側が小さいテーパー状とする場合に、収納かごの高さサイズがどの程度であっても、サイドフレーム１の上部の外縁における外サイドフレーム１１１にかかる力が十分均一となり、変形や破断が発生することがない。よって、収納かごの見栄え及び生産品質が確保される。また、収納かごをテーパー状としたあと、エッジガード３の上部における屈曲部３１で外サイドフレーム１１１の切り欠き１１１１を封止するため、当該技術方案では収納かごの見栄えがいっそう向上する。本技術方案によれば、収納かごの剛性及び強度が向上するだけでなく、テーパー状の収納かごの生産効率を大幅に向上させることも可能である。且つ、エッジガード３の外壁に各種装飾パターンをプレスすることで、収納かごの見栄えを更に向上させられる。
【００２３】
図４及び図５に示すように、サイドフレーム１は、エッジガード３により前後が順に連結されるいくつかのサイドプレート１１を含む。サイドプレート１１とボトムプレート２は一体式の構造又は分離式の構造とする。また、外サイドフレーム１１１は、いくつかの前記サイドプレート１１の上部の外縁に設けられている。サイドフレーム１をこのような構造設計とすることで、エッジガード３によっていくつかのサイドプレート１１を前後に連結してテーパー状の収納かごを形成することが可能となる。なお、言うまでもなく、このような構造では、エッジガード３の上部における屈曲部３１を内側から外側に屈曲する形状に設計することが好ましい。具体的に、エッジガード３は、溶接によってサイドプレート１１に堅固に接続してもよいし、図１０に示すようなフック式構造を用いてもよい。フック式構造の場合、サイドプレート１１の外側には屈曲した第１フック１１４が延伸しており、エッジガード３の両端にも第２フック３４が延伸している。第１フック１１４と第２フック３４を係接して平らに押圧することで、サイドプレート１１とエッジガード３との堅固な接続を実現可能である。この構造は溶接の必要がないため、収納かごの生産効率が大幅に向上する。このほか、エッジガード３とサイドプレート１１の間に第２の挿接式構造を用いてもよい。具体的には、図１１及び図１２に示すように、屈曲部３１の形状を外サイドフレーム１１１の形状と同様とする。屈曲部３１はいずれも内側から外側に折り返される。また、図１３に示すように、屈曲部３１の両端にはいずれも挿接部３１１が設けられており、エッジガード底部３３の両端にはいずれも退避用切り欠き３３１が設けられている。エッジガード３とサイドプレート１１を連結する際には、挿接部３１１をサイドプレート１１の上部における外サイドフレーム１１１の挿接孔１１１２に挿入するだけでよい。また、退避用切り欠き３３１によって、エッジガード底部３３とサイドプレート１１の底部における内フランジ１１３との干渉を回避する。言うまでもなく、挿接部３１１を外サイドフレーム１１１の末端に設け、これに応じて、挿接孔１１１２を屈曲部３１に設けてもよい。また、言うまでもなく、エッジガード底部３３の両端に退避用切り欠き３３１を設けず、退避用切り欠き３３１をサイドプレート１１の底部における内フランジ１１３に設けてもよい。このような第２の挿接式構造を用いることで、収納かごは、組み付けやすく、生産効率が高いとの利点を有する。
【００２４】
具体的に、サイドフレーム１とボトムプレート２は、一体式の構造又は分離式の構造となっている。サイドフレーム１又はエッジガード３は、中実の板金部材構造、又は任意の網目を持つエキスパンド構造のメッシュプレート、網状構造、又は中央部に任意の網目が開設されたエキスパンドメタル構造としてもよいし、プラスチックプレート又は木板としてもよい。また、ボトムプレート２は、平板状の金属構造、メッシュプレートを引き伸ばした金属構造、木板又はガラスとする。図２、図３又は図４では、中央部に網目が開設されて引き延ばされたサイドフレーム１と、メッシュプレートを引き伸ばした構造のボトムプレート２が分離式の構造となっている。また、図５では、網目状のエキスパンド構造のサイドフレーム１とメッシュプレートを引き伸ばした構造のボトムプレート２が一体的に成形されている。また、図６では、中実の板金部材構造であるサイドフレーム１とメッシュプレートを引き伸ばした構造のボトムプレート２が分離式の構造となっている。このほか、図６では、エッジガード３の外壁にいくつかの突起が設けられている。これにより、装飾作用が奏されるため、収納かごの見栄えが向上する。
【００２５】
より具体的に、エッジガード３の縦方向断面の形状は、サイドフレーム１におけるいずれかのサイドプレート１１の縦方向断面の形状と一致している。図７は、エッジガード３における縦方向断面の第１の形状を示しており、エッジガード３が屈曲部３１とエッジガード中央部３２を含む。具体的に、屈曲部３１は、内側から外側に屈曲するか、外側から内側に屈曲して外サイドフレーム１１１の切り欠き１１１１を覆う。エッジガード中央部３２はサイドプレート１１の外壁に密着する。また、サイドプレート１１の底部に内フランジ１１３が設けられていない場合、エッジガード３は更にエッジガード底部３３を含む。反対に、サイドプレート１１の底部に内フランジ１１３が設けられている場合、エッジガード３はエッジガード底部３３を有さなくてもよい。図８は、エッジガード３における縦方向断面の第２の形状を示している。また、図９は、エッジガード３における縦方向断面の第３の形状を示している。
【００２６】
図２に示すように、エッジガード３は、Ａ部分の曲がり角を直角や丸角又はＲ角といった任意の角度とすることができる。具体的には、屈曲部３１に治具を当てて直角又はＲ角となるよう屈曲させる。
【実施例２】
【００２７】
図１４に示すように、本実施例は第２の収納かごを提供する。本実施例では、サイドフレーム１が、少なくとも１つのサイドプレート１１を屈曲及び連結することで形成される。この構造では、エッジガード３の上部における屈曲部３１を外側から内側に屈曲する構造に設計することが好ましい。つまり、サイドプレート１１には少なくとも１つの連結開口１１２が設けられている。本実施例において、サイドフレーム１は、２枚のサイドプレート１１を屈曲及び連結して形成することが好ましい。よって、サイドプレート１１には２つの連結開口１１２が形成される。このほか、サイドプレート１１の底部には内フランジ１１３が設けられている。そのほかの構造は実施例１と同様のため、繰り返し述べない。
【００２８】
サイドプレート１１とボトムプレート２は分離式の構造となっており、ボトムプレート２が内フランジ１１３上に載置される。また、外サイドフレーム１１１は、サイドプレート１１の上部の外縁に設けられる。前記内フランジ１１３には少なくとも１つの切口１１３１が設けられている。当該切口１１３１を設けることで、収納かごを拡張する際に内フランジ１１３に一定の変形量を持たせることが可能となる。よって、内フランジ１１３の変形又は破断の発生が回避される。
【００２９】
図１５及び図１６に示すように、本実施例では、金属接続部材４を更に含む。当該金属接続部材４は、連結開口１１２部分の内壁及び外壁に貼り付けられる。
【００３０】
具体的に、当該金属接続部材４は、連結開口１１２の内壁に貼り付けられる第１金属シート４１と、連結開口１１２の外壁に貼り付けられる第２金属シート４２を含む。生産時には、第１金属シート４１を連結開口１１２の内壁に貼り付けて溶接したあと、第２金属シート４２を連結開口１１２の外壁に貼り付けて溶接するだけで、サイドプレート１１の連結開口１１２部分を十分に堅固とすることができる。且つ、破断も発生せず、製品の信頼性が保証される。また、作業時には、手間をかけて連結開口１１２部分のサイドプレート１１の両端を位置合わせする必要がない。当該金属接続部材４を設置することで製品の生産プロセスを簡略化できるため、製品の生産効率が大幅に向上する。このほか、当該金属接続部材４を設置することで、連結開口１１２部分の内壁と外壁を十分に滑らか且つ平坦とすることができるため、ユーザの手を傷付けることがない。且つ、従来の溶接点の数が大きく減少するため、製品の見た目が大幅に向上し、ユーザの購買意欲が高まる。
【００３１】
このほか、図１５及び図１７に示すように、当該金属接続部材４は、横方向断面が「Ｚ」字状をなす第３金属シート４３であってもよい。当該第３金属シート４３は、第１スロット４３１と第２スロット４３２を含む。生産時には、連結開口１１２の一方の側のサイドプレート１１を第１スロット４３１に挿入してから、連結開口１１２の他方の側のサイドプレート１１を第２スロット４３２に挿入し、最後に「Ｚ」字状をなす第３金属シート４３を平らに押圧するだけで、サイドプレート１１の連結開口１１２部分を十分に堅固とすることができる。且つ、破断も発生せず、製品の信頼性が保証される。また、作業時には、手間をかけて連結開口１１２部分のサイドプレート１１の両端を位置合わせする必要がない。当該第３金属シート４３を設置することで、製品の生産プロセスを簡略化できるため、製品の生産効率が大幅に向上する。このほか、当該金属シート４３を設置することで、連結開口１１２部分の内壁と外壁を十分に滑らか且つ平坦とすることができるため、ユーザの手を傷付けることがない。且つ、表面に溶接点が存在しなくなるため、製品の見た目が大幅に向上し、ユーザの購買意欲が高まる。
【実施例３】
【００３２】
図１８〜図２１に示すように、本実施例は第３の収納かごを提供する。本実施例は、内フランジとボトムプレートの接続を如何に確実且つ見栄え良くするかとの課題を主に解決する。当該収納かごは、縦方向断面が「Ｚ」字状をなす第４金属シート５を更に含む。前記第４金属シート５は、独立した成形部材とするか、内フランジ１１３と一体的に成形する。当該第４金属シート５は第３スロット５１と第４スロット５２を含む。そのほかの構造は実施例１又は実施例２と同様のため、繰り返し述べない。
【００３３】
生産時には、一般的に、従来技術ではボトムプレート２を内フランジ１１３の表面に溶接するため、大量の溶接点が発生する。これらの溶接点は破断しやすく、信頼性に劣るとの欠点がある。また、大量の溶接点は製品の見栄えに深刻な影響を及ぼす。そこで、本実施例では「Ｚ」字状をなす第４金属シート５を設ける。生産時には、前記第４金属シート５が独立した成形部材である場合、前記内フランジ１１３を第３スロット５１に挿入し、これに応じて、前記ボトムプレート２を第４スロット５２に挿入する。或いは、前記内フランジ１１３を第４スロット５２に挿入し、これに応じて、前記ボトムプレート２を第３スロット５１に挿入する。その後、「Ｚ」字状をなす第４金属シート５を平らに押圧すれば、内フランジ１１３とボトムプレート２との接続を十分堅固とすることができる。且つ、破断も発生せず、製品の信頼性が保証される。また、前記第４金属シート５が内フランジ１１３と一体的に成形されている場合には、前記ボトムプレート２を第４スロット５２に挿入する。このほか、当該第４金属シート５を設けることで、内フランジ１１３の内壁と外壁を十分に滑らか且つ平坦とすることができる。また、表面に溶接点が存在しなくなるため、製品の見た目が大幅に向上し、ユーザの購買意欲が高まる。
【００３４】
サイドプレート１１の上部には、切り欠きを少なくとも１つ開設してもよい。これにより、大きいサイズの収納かごを生産したいとのニーズが満たされる。
【００３５】
上記の実施例は本考案の好ましい実施形態であるが、本考案の実施形態は上記の実施例に限定されない。本考案の精神の本質及び原理を逸脱することなく実施されるその他あらゆる変形、補足、置き換え、組み合わせ、簡略化はいずれも等価の置き換えとみなすべきであり、本考案の保護の範囲に含まれる。
【図１】
0003232841.tif 000003
【図２】
0003232841.tif 000004
【図３】
0003232841.tif 000005
【図４】
0003232841.tif 000006
【図５】
0003232841.tif 000007
【図６】
0003232841.tif 000008
【図７】
0003232841.tif 000009
【図８】
0003232841.tif 000010
【図９】
0003232841.tif 000011
【図１０】
0003232841.tif 000012
【図１１】
0003232841.tif 000013
【図１２】
0003232841.tif 000014
【図１３】
0003232841.tif 000015
【図１４】
0003232841.tif 000016
【図１５】
0003232841.tif 000017
【図１６】
0003232841.tif 000018
【図１７】
0003232841.tif 000019
【図１８】
0003232841.tif 000020
【図１９】
0003232841.tif 000021
【図２０】
0003232841.tif 000022
【図２１】
0003232841.tif 000023